(57)【要約】【課題】煩雑な操作を伴わず、内容物への計量スプーンの埋没と、内容物による計量スプーンの持ち手の汚染とを防止し、かつ、容器の流通・保管時の省スペース化が図れる粉粒物用容器を提供する。【解決手段】内容物収納部２０、及び内容物収納部２０に並設された計量具収納部１０を備えた容器本体２と、開口部６を塞ぐ蓋体４とを備え、計量具収納部１０は、その開口部周縁の一部が、内容物収納部２０の開口部周縁の一部と連結部３０により連結されると共に、計量具収納部１０の第二の側壁部１４ａ、１４ｂと、これに対向する内容物収納部の第一の側壁部２４ａ、２４ｂとは、底部７から開口部６に向かって漸次近づくものとされ、容器本体２の内面形状は、容器本体２の外面形状を嵌入可能とされ、蓋体４を閉じた際に、その内面と連結部３０とが当接することよりなる。【選択図】図１
2011240951.tif 000002
【特許請求の範囲】
【請求項１】
粉粒物を収納する有底筒状の内容物収納部、及び該内容物収納部に並設され計量具を収納する有底筒状の計量具収納部を備えた容器本体と、該容器本体の開口部を塞ぐ蓋体とを備えた粉粒物用容器において、
前記計量具収納部は、その開口部周縁の一部が、前記内容物収納部の開口部周縁の一部と連結部により連結されると共に、その側壁部が、前記内容物収納部の側壁部と離間しており、
前記計量具収納部の側壁部と、前記計量具収納部の側壁部に対向する前記内容物収納部の側壁部とは、前記容器本体の底部から開口部に向かって漸次近づくものとされ、
前記容器本体の内面形状は、前記容器本体の外面形状を嵌入可能とされ、
前記蓋体を閉じた際に、前記蓋体の内面と前記連結部とが当接することを特徴とする粉粒物用容器。
【請求項２】
前記蓋体には、前記蓋体を閉じた際に、前記連結部に対応する位置に、前記連結部に当接又は嵌合する閉止部が設けられていることを特徴とする、請求項１に記載の粉粒物用容器。
【請求項３】
前記計量具収納部の側壁部の外面及び前記計量具収納部の側壁部に対向する前記内容物収納部の側壁部の外面の双方又はいずれか一方には、凸状の嵌合防止部が設けられていることを特徴とする、請求項１又は２に記載の粉粒物用容器。
【請求項４】
前記計量具収納部の側壁部の内面及び前記計量具収納部の側壁部に対向する前記内容物収納部の側壁部の内面の双方又はいずれか一方には、凸状の嵌合防止部が設けられていることを特徴とする、請求項１又は２に記載の粉粒物用容器。
【請求項５】
前記計量具収納部の底壁部には、排出口が形成されると共に、該排出口を塞ぐ開閉可能な底部蓋体が設けられていることを特徴とする、請求項１〜４のいずれか１項に記載の粉粒物用容器。
【請求項６】
前記計量具収納部は、その内部に有底筒状の内容器を備え、該内容器は、前記計量具収納部に着脱自在であることを特徴とする、請求項１〜４のいずれか１項に記載の粉粒物用容器。
【請求項７】
前記計量具収納部は、その上部に対しその下部が着脱自在であることを特徴とする、請求項１〜４のいずれか１項に記載の粉粒物用容器。
【発明の詳細な説明】
【技術分野】
【０００１】
本発明は、粉粒物用容器に関する。
【背景技術】
【０００２】
衣料用洗濯洗剤や自動食器洗浄機用洗剤等の粉粒物を収納する粉粒物用容器としては、計量スプーンを付属させた箱状の容器が知られている。
箱状の容器の使用方法は、まず蓋を開け、付属の計量スプーンで粉粒物を掬い取って計量し、計量した粉粒物を洗濯機や自動食器洗浄機等に投入するものである。箱型の容器では、計量スプーンを容器内に入れて保管するため、内容物に埋没したり、繰り返し使用しているうちに計量スプーンの持ち手部分に内容物が付着し、この付着した内容物により手指が汚染されるという問題がある。
【０００３】
従来、こうした問題に対し、スプーン入れを洗剤収納箱の側面で上縁に吊り下げた粉末洗剤用スプーンの収納具が提案されている（例えば、特許文献１）。この発明によれば、スプーンは、内容物を収納する空間から隔離して収納されるため、内容物に埋没したり、持ち手に内容物が付着しにくくなる。
また、例えば、容器内にスプーンを装着する構造を備えた容器が提案されている。
特許文献２には、スプーンの柄を係止するための係止部を設けた計量スプーン付き容器が提案されている。
特許文献３には、容器蓋裏にスプーンを着脱可能に装着した調味料収納容器が提案されている。
特許文献４には、容器の相対する側壁部の上部にスプーン載置部を設け、スプーンを橋渡しするようにして収納したスプーン付き容器が提案されている。
特許文献５には、容器本体の開口部に対向する両側壁にわたってすり切り部が架設され、すり切り部とすり切り部から空間を置いて対向するフランジ部とにスプーンを掛け渡してスプーンを収納する調味料収納容器が提案されている。
特許文献２〜５の発明によれば、計量スプーンの持ち手が内容物に埋没し、持ち手に内容物が付着することの防止が図られている。
【先行技術文献】
【特許文献】
【０００４】
【特許文献１】登録実用新案第３０１６９３１号公報
【特許文献２】特開２００６−３３５３７８号公報
【特許文献３】特開２００７−１３７５１０号公報
【特許文献４】特許第３７５６５０８号公報
【特許文献５】特許第４２２６７２７号公報
【発明の概要】
【発明が解決しようとする課題】
【０００５】
しかしながら、特許文献１の発明では、スプーン収納具が洗剤収納箱と別体で構成されているため、容器に対する振動や落下等の外部からの衝撃によりスプーン収納具が洗剤収納箱から脱落するおそれがある。加えて、スプーン収納具を洗剤収納箱に組み込む必要があり、生産効率が悪い。
特許文献２〜５の発明では、持ち手が内容物に埋没することは防止できるものの、計量スプーン等の計量具が内容物の収納空間で収納されるため、振動又は落下等により容器内で内容物が舞い上がったりした場合等には、内容物により計量具の持ち手が汚染されるという問題がある。加えて、これらの容器への計量具の収納方法は、使用者にとって操作自体に神経を使わせるため煩雑であるという問題がある。さらに、特許文献２、５の発明では、容器自体を重ね合わせることができず、流通過程や製造工程において、空容器を収納するための広い保管スペースが必要となる。
そこで、本発明は、煩雑な操作を伴わず、内容物への計量具の埋没と、内容物による計量具の持ち手の汚染とを防止し、かつ、容器の流通・保管時の省スペース化が図れる粉粒物用容器を目的とする。
【課題を解決するための手段】
【０００６】
本発明の粉粒物用容器は、粉粒物を収納する有底筒状の内容物収納部、及び該内容物収納部に並設され計量具を収納する有底筒状の計量具収納部を備えた容器本体と、該容器本体の開口部を塞ぐ蓋体とを備えた粉粒物用容器において、前記計量具収納部は、その開口部周縁の一部が、前記内容物収納部の開口部周縁の一部と連結部により連結されると共に、その側壁部が、前記内容物収納部の側壁部と離間しており、前記計量具収納部の側壁部と、前記計量具収納部の側壁部に対向する前記内容物収納部の側壁部とは、前記容器本体の底部から開口部に向かって漸次近づくものとされ、前記容器本体の内面形状は、前記容器本体の外面形状を嵌入可能とされ、前記蓋体を閉じた際に、前記蓋体の内面と前記連結部とが当接することを特徴とする。
前記蓋体には、前記蓋体を閉じた際に、前記連結部に対応する位置に、前記連結部に当接又は嵌合する閉止部が設けられていることが好ましく、前記計量具収納部の側壁部の外面及び前記計量具収納部の側壁部に対向する前記内容物収納部の側壁部の外面の双方又はいずれか一方には、凸状の嵌合防止部が設けられていることが好ましく、前記計量具収納部の側壁部の内面及び前記計量具収納部の側壁部に対向する前記内容物収納部の側壁部の内面の双方又はいずれか一方には、凸状の嵌合防止部が設けられていることが好ましい。
前記計量具収納部の底壁部には、排出口が形成されると共に、該排出口を塞ぐ開閉可能な底部蓋体が設けられていることが好ましく、前記計量具収納部は、その内部に有底筒状の内容器を備え、該内容器は、前記計量具収納部に着脱自在とされていてもよく、前記計量具収納部は、その上部に対しその下部が着脱自在とされていてもよい。
【発明の効果】
【０００７】
本発明の粉粒物用容器によれば、内容物収納部及び該内容物収納部に並設された計量具収納部を備えた容器本体と、該容器本体の開口部を塞ぐ蓋体とを備え、前記容器本体の内面形状は、前記容器本体の外面形状を嵌入可能とされ、前記蓋体を閉じた際に、前記蓋体の内面と前記連結部とが当接するため、煩雑な操作を伴わず、内容物への計量具の埋没と、内容物による計量具の持ち手の汚染とを防止し、かつ、容器本体の流通・保管時の省スペース化が図れる。
本発明の粉粒物用容器によれば、蓋体には、前記蓋体を閉じた際に、前記連結部に対応する位置に、前記連結部に当接又は嵌合する閉止部が設けられているため、内容物による計量具の汚染防止の向上が図れる。
本発明の粉粒物用容器によれば、前記計量具収納部の側壁部の外面及び前記計量具収納部の側壁部に対向する前記内容物収納部の側壁部の外面の双方又はいずれか一方には、凸状の嵌合防止部が設けられているため、容器本体同士を重ね合わせた際に、容器本体同士が強く嵌合するのを防止できる。
本発明の粉粒物用容器によれば、前記計量具収納部の側壁部の内面及び前記計量具収納部の側壁部に対向する前記内容物収納部の側壁部の内面の双方又はいずれか一方には、凸状の嵌合防止部が設けられているため、容器本体同士を重ね合わせた際に、容器本体同士が強く嵌合するのを防止できる。
本発明の粉粒物用容器によれば、前記計量具収納部の底壁部には、排出口が形成されると共に、該排出口を塞ぐ開閉可能な底部蓋体が設けられているため、計量具収納部内に侵入した内容物を容易に容器外へ排出できる。
本発明の粉粒物用容器によれば、前記計量具収納部は、その内部に有底筒状の内容器を備え、該内容器は、前記計量具収納部に着脱自在とされているため、計量具収納部内に侵入した内容物を容易に容器外へ排出できる。
本発明の粉粒物用容器によれば、前記計量具収納部は、その上部に対しその下部が着脱自在とされているため、計量具収納部内に侵入した内容物を容易に容器外へ排出できる。
【図面の簡単な説明】
【０００８】
【図１】本発明の一実施形態にかかる粉粒物用容器の斜視図である。
【図２】（ａ）本発明の一実施形態にかかる粉粒物用容器の平面図である。（ｂ）本発明の一実施形態にかかる粉粒物用容器の左側面図である。（ｃ）本発明の一実施形態にかかる粉粒物用容器の正面図である。（ｄ）本発明の一実施形態にかかる粉粒物用容器の右側面図である。（ｅ）本発明の一実施形態にかかる粉粒物用容器の底面図である。
【図３】本発明の一実施形態にかかる粉粒物用容器の斜視図である。
【図４】本発明の一実施形態にかかる粉粒物用容器の容器本体の斜視図である。
【図５】本発明の一実施形態にかかる粉粒物用容器の容器本体の断面図である。
【図６】本発明の一実施形態にかかる粉粒物用容器の部分断面図である。
【図７】図６の比較物である粉粒物用容器の部分断面図である。
【図８】本発明の一実施形態にかかる粉粒物用容器の容器本体の断面図である。
【図９】本発明の一実施形態にかかる粉粒物用容器の容器本体の断面図である。
【図１０】本発明の一実施形態にかかる粉粒物用容器の容器本体の下方斜視図である。
【図１１】本発明の一実施形態にかかる粉粒物用容器の斜視図である。
【図１２】本発明の一実施形態にかかる粉粒物用容器の斜視図である。
【図１３】本発明の一実施形態にかかる粉粒物用容器の容器本体の断面図である。
【図１４】本発明の一実施形態にかかる粉粒物用容器の部分断面図である。
【発明を実施するための形態】
【０００９】
本発明の一実施形態にかかる粒状物用容器について、以下に図面を参照して説明する。
図１は、本発明の一実施形態にかかる粉粒物用容器１の蓋体を開いた状態の斜視図である。図２（ａ）は、粉粒物用容器１の平面図、（ｂ）は、粉粒物用容器１の左側面図、（ｃ）は、粉粒物用容器１の正面図、（ｄ）は、粉粒物用容器１の右側面図、（ｅ）は、粉粒物用容器１の底面図である。図３は、図１の粉粒物用容器１の蓋体を閉じた状態の斜視図である。なお、図中、符号７は、容器本体の底部を示すものである。
図１〜３に示すように、粉粒物用容器１は、容器本体２と、容器本体２の開口部６を塞ぐ蓋体４とを備えたものであり、蓋体４は、ヒンジ５により開閉可能に容器本体２と蝶着されている。
【００１０】
容器本体２は、計量具収納部１０が内容物収納部２０に対し水平方向に並設されたものであり、全体として平面視略長方形とされている。
内容物収納部２０は、平面視略Ｌ字状の第一の底壁部２２と、この第一の底壁部２２の周縁に立設された第一の側壁部２４とからなり、第一の底壁部２２と第一の側壁部２４とで囲われた空間が、粉粒状の内容物を収納する内容物収納室２１とされたものである。内容物収納部２０は、平面視略Ｌ字状の有底筒状のものであり、対向する第一の側壁部２４同士が、第一の底壁部２２から開口部６に向かって暫時離れる形状とされたものである。
【００１１】
計量具収納部１０は、第一の底壁部２２のＬ字に囲まれた領域に位置する平面視略長方形の第二の底壁部１２と、この第二の底壁部１２の周縁に立設された第二の側壁部１４とからなり、第二の底壁部１２と第二の側壁部１４とで囲われた空間が、計量スプーン等の計量具を収納する計量具収納室１１とされたものである。計量具収納部１０は、平面視長方形の有底筒状のものであり、対向する第二の側壁部１４同士が、第二の底壁部１２から開口部６に向かって暫時離れる形状とされている。
計量具収納部１０の開口部周縁の一部と、内容物収納部２０の開口部周縁の一部とは、連結部３０により連結されており、連結部３０は、平面視略Ｌ字状とされている。
【００１２】
図２〜３に示すように、第一の側壁部２４の内、連結部３０のＬ字の長手側に接続された第一の側壁部２４ａと、第二の側壁部１４の内、第一の側壁部２４ａと対向する第二の側壁部１４ａとは、離間し、かつ容器本体２の底部７から開口部６に向かって漸次近づくものとされている。
第一の側壁部２４ａと第二の側壁部１４ａとのなす角度θ（図２（ｂ））は、容器本体２同士を重ね合わせた際に、任意の容器本体２の隔壁３１を、他の任意の容器本体２の第一の側壁部２４ａと第二の側壁部１４ａとの間に嵌挿できるものであればよく、例えば５〜１０°とされる。
【００１３】
第一の側壁部２４の内、連結部３０のＬ字の短手側に接続された第一の側壁部２４ｂと、第二の側壁部１４の内、第一の側壁部２４ｂと対向する第二の側壁部１４ｂとは、離間し、かつ容器本体２の底部７から開口部６に向かって漸次近づくものとされている。本実施形態において、内容物収納室２１と計量具収納室１１とは、第一の側壁部２４ａ、２４ｂ、第二の側壁部１４ａ、１４ｂ及び連結部３０とからなる隔壁３１により仕切られている。
第一の側壁部２４ｂと第二の側壁部１４ｂとのなす角度は、第一の側壁部２４ａと第二の側壁部１４ａとのなす角度θと同様である。
【００１４】
また、容器本体２は、開口部６の大きさが、底部７の大きさより大きいものとされている。
以上の構成により、容器本体２の内面形状は、容器本体２の外面形状を嵌入可能とされている。
【００１５】
本実施形態において、容器本体２は、計量具収納部１０と内容物収納部２０とが、一体成形されたものである。
容器本体２の材質は、例えば、ポリエチレン、ポリプロピレン、ポリエチレンテレフタレート等のプラスチックが挙げられる。
【００１６】
蓋体４は、略長方形の主壁部４２と、主壁部４２の周縁に設けられたフランジ４４とを備え、蓋体４の内面、即ち、容器本体２の開口部６と対向する主壁部４２の面には、連結部３０の形状に対応した略Ｌ字状の凸条である閉止部４６が設けられている。閉止部４６は、蓋体４で開口部６を塞いだ際に、連結部３０に当接するものとされている。
蓋体４の材質は、容器本体２の材質と同様である。
【００１７】
次に、粉粒物用容器１の使用態様について、図１、３〜７を用いて説明する。図４は、容器本体２を積み重ねた状態を示す斜視図であり、図５は、図４のＹ−Ｙ断面図である。図６は、図３のＸ−Ｘ断面における部分断面図であり、図７は、図６の比較物の粉粒物用容器９００の部分断面図である。
【００１８】
まず、粉粒物用容器１を流通・保管する際には、蓋体４と容器本体２とを個別に流通・保管する。容器本体２の流通・保管に当たっては、図４に示すように、容器本体２の底部７を、他の容器本体２の開口部６内に挿入して重ね合わせる。このように、容器本体２の流通・保管に当たり、保管場所の省スペース化が図れる。
【００１９】
次いで、内容物収納部２０の内容物収納室２１内に内容物を収納する。内容物としては、粉粒物であれば特に限定されず、衣料用洗濯洗剤、自動食器洗浄用洗剤等の粉粒状洗剤、粉粒状の調味料等が挙げられる。次いで、計量スプーン等の計量具を計量具収納部１０の計量具収納室１１内に収納した後、蓋体４を容器本体２に取り付け、蓋体４を閉じる。蓋体４を閉じると、図６のように、蓋体４の内面に設けられた閉止部４６が連結部３０に当接し、計量具収納室１１は、隔壁３１と閉止部４６とにより内容物収納室２１から隔離される。なお、蓋体４を閉じた状態を、以下「常態」という。
【００２０】
このように、計量具収納室１１が内容物収納室２１から隔離されることで、粉粒物用容器１は、落下したり、外部からの振動を受けた際に、内容物収納室２１の内容物が計量具収納室１１に浸入するのを防止できる。例えば、図７に示す粉粒物用容器９００のように、蓋体９０４に閉止部が形成されておらず、かつ蓋体９０４を閉じた際に蓋体９０４の内面が連結部３０の上端に当接していないと、矢印Ａのように内容部収納室２１から計量具収納室１１に内容物が侵入する。計量具収納室１１に内容物が侵入すると、計量具収納室１１に収納した計量具の持ち手に内容物が付着することとなる。本実施形態の粉粒物用容器１は、蓋体４を閉じることにより、計量具収納室１１を内容物収納室２１から隔離できるため、内容物が計量具収納室１１に侵入し、計量具の持ち手に付着するのを防止できる。
【００２１】
内容物を使用する際には、図１のように蓋体４を開け、計量具収納部１０から計量具を取り出す。次いで、取り出した計量具により、内容物収納部２０内の内容物を掬い取って計量する。この際、計量具の持ち手には、内容物が付着していないため、使用者は、手指を汚すことがない。
内容物を計量した後、計量具を計量具収納部１０に収納し、蓋体４を閉じることで常態とし、内容物と計量具とが収納された粉粒物用容器１を保管できる。
【００２２】
上述の実施形態によれば、計量具収納部が有底筒状とされているため、使用後の計量具を容易に収納することができる。加えて、計量具収納部の側壁部とこれに対向する内容物収納部の側壁部とが、容器本体の底部から開口部に向かって漸次近づくものとされ、かつ容器本体の内面形状が、容器本体の外面形状を嵌入可能とされているため、容器本体同士を重ね合わせて保管でき、保管場所の省スペース化が図れる。さらに、計量具収納室が、隔壁と閉止部により、内容物収納室から隔離されるため、計量具が内容物に埋没することがなく、かつ内容物が計量具収納室に侵入し計量具の持ち手に付着するのを防止できる。
【００２３】
本実施形態によれば、内容物収納部と計量具収納部とを一体成形できるため、容易かつ安価に容器本体を製造できる。
加えて、計量具収納部の側壁部と内容物収納部の側壁部とが離間しているため、容器本体を把持する際に、計量具収納部と内容物収納部との間に手指を挿入し、容器本体を安定して把持できる。
【００２４】
本発明の粉粒物用容器は、上述の実施形態に限定されるものではない。
例えば、図８に示す容器本体１００のように、隔壁３１を構成する第一の側壁部２４ａの内容物収納室２１側（内面）、及び第二の側壁部１４ａの計量具収納室１１側（内面）に凸状の嵌合防止部１１０が設けられていてもよい。このような嵌合防止部１１０が設けられていることで、容器本体１００同士を重ね合わせた際に、嵌入させた容器本体１００の外面と、受入側の容器本体１００の内面との間に適度な隙間が形成され、容器本体１００同士が強く嵌合するのを防止できる。
なお、嵌合防止部１１０は、第一の側壁部２４ａ又は第二の側壁部１４ａのいずれか一方にのみ設けられていてもよい。また、嵌合防止部１１０は、図１における第一の側壁部２４ｂ、第二の側壁部１４ｂに設けられていてもよい。
【００２５】
あるいは、図９に示す容器本体１５０ように、隔壁３１を構成する第一の側壁部２４ａの外面、及び第二の側壁部１４ａの外面に凸状の嵌合防止部１６０が設けられていてもよい。このような嵌合防止部１６０が設けられていることで、容器本体１５０同士を重ね合わせた際に、嵌入させた容器本体１５０の外面と、受入側の容器本体１５０の内面との間に適度な隙間が形成され、容器本体１５０同士が強く嵌合するのを防止できる。
なお、嵌合防止部１１０は、第一の側壁部２４ａ又は第二の側壁部１４ａのいずれか一方にのみ設けられていてもよい。また、嵌合防止部１１０は、図１における第一の側壁部２４ｂ、第二の側壁部１４ｂに設けられていてもよい。
【００２６】
また、例えば、図１０に示す容器本体２００のように、計量具収納部２１０の第二の底壁部２１２に、排出口２２０が形成され、この排出口２２０を塞ぐ開閉可能な底部蓋体２２２が設けられていてもよい。容器本体２００は、排出口２２０が形成されていることで、計量具に付着して計量具収納部２１０内に持ち込まれた内容物を適宜排出できる。このため、計量具収納部２１０内に内容物が堆積するのを防止できる。
【００２７】
また、例えば、図１１に示す粉粒物用容器２５０のように、計量具収納部１０に着脱自在な内容器２６０を備えていてもよい。内容器２６０は、有底筒状され、その外面の形状が計量具収納部１０の内面の形状に対応するものである。
内容器２６０は、例えば、ポリエチレン、ポリプロピレン、ポリエチレンテレフタレート等のプラスチック製容器、コートボール紙等の紙製容器等が挙げられ、中でも薄肉化が図れ、かつ繰り返し使用できるプラスチック製が好ましい。
内容器２６０の厚みは、薄いほど、内容器２６０内の空間を大きく確保できる一方、薄すぎると容易に破損する傾向にある。従って、内容器２６０の厚みは、その材質等を勘案して決定でき、例えば、０．１〜１ｍｍとされる。
計量具を計量具収納部１０に収納する際、計量具に付着した内容物は、内容器２６０内に持ち込まれる。内容器２６０は、計量具収納部１０に着脱自在とされているため、内容器２６０に持ち込まれた内容物を適宜排出でき、内容器２６０内に内容物が堆積するのを防止できる。
【００２８】
上述の実施形態では、容器本体２は、一体成形物とされているが、例えば、図１２に示す粉粒物用容器３００のように、計量具収納部３１０が上部収納部３１２と下部収納部３１４とで構成された容器本体３０２を備えるものであってもよい。容器本体３０２は、下部収納部３１４が上部収納部３１２に着脱自在とされた計量具収納部３１０を備えるものである。
図１２、図１３に示すように、上部収納部３１２には、その下端開口部３１１側に略長方形の嵌合孔３１３が形成され、下部収納部３１４には、その開口部３１６の周縁部が下端開口部３１１に挿入された際に、嵌合孔３１３と嵌合する嵌合片３１５が形成されている。ここで、図１３は、図１２の容器本体３０２のＺ−Ｚ断面図である。
【００２９】
粉粒物用容器３００の使用態様について、図１３を用いて説明する。図１３（ａ）は、上部収納部３１２の下端開口部３１１に、下部収納部３１４の開口部３１６の周縁部が挿入され、嵌合孔３１３に嵌合片３１５が嵌合し、下部収納部３１４が上部収納部３１２に装着された状態を示す容器本体３０２の断面図である。容器本体３０２は、その流通・保管時、又は内容物を収納した状態での保管時、内容物の計量時に、図１３（ａ）の状態とされている。下部収納部３１４内の内容物を排出する際には、図１３（ｂ）に示すように、下部収納部３１４の開口部３１６の周縁部を内側に押圧し、嵌合片３１５を嵌合孔３１３から外す。次いで、図１３（ｃ）に示すように、下部収納部３１４を上部収納部３１２から離れる方向に移動させることで、上部収納部３１２から下部収納部３１４を取り外すことができる。こうして取り外した下部収納部３１４内の内容物を排出した後、下部収納部３１４を上部収納部３１２に装着する。
本実施形態によれば、下部収納部３１４のみを取り外せるため、計量具収納部３１０内の内容物を容易に排出し、計量具収納部３１０内に内容物が堆積するのを防止できる。
【００３０】
上述の実施形態では、内容物収納部の底壁部が平面視略Ｌ字状とされているが、本発明はこれに限定されず、例えば、矩形、三角形等の多角形とされていてもよいし、欠円形とされていてもよい。
上述の実施形態では、計量具収納部の底壁部が平面視略長方形とされているが、本発明はこれに限定されず、例えば、正方形、五角形等の長方形以外の多角形とされていてもよいし、欠円形とされていてもよい。
【００３１】
上述の実施形態では、容器本体の開口部が、平面視略長方形とされているが、本発明はこれに限定されず、例えは、三角形、正方形、五角形等の長方形以外の多角形とされていてもよいし、真円、楕円等の円形とされていてもよい。
【００３２】
上述の実施形態では、閉止部が設けられているが、本発明は、蓋体を閉じた際に、蓋体の内面と連結部の上端とが当接するものであればよく、例えば、蓋体の内面に閉止部が設けられていなくてもよい。
あるいは、閉止部は、連結部と嵌合する凸条又は凹条とされていてもよい。
連結部と嵌合する閉止部を設けた粉粒物用容器について、図１４を用いて説明する。図１４は、図６の粉粒物用容器１と同様の方向から見た粉粒物用容器３５０の部分断面図である。図１４に示すように、粉粒物用容器３５０は、連結部３０を受け入れる凹条１４８が形成され、連結部３０と嵌合する閉止部１４６が設けられた蓋体１４０を備えている。このように、連結部３０と閉止部１４６とが嵌合することで、内容物収納部２０から計量具収納部１０への内容物の浸入をより確実に防止できる。
【００３３】
上述の実施形態では、蓋体がヒンジを介して容器本体に蝶着されているが、本発明はこれに限定されず、例えば、ヒンジを介さずに着脱自在な蓋体が設けられていてもよい。
【００３４】
上述の実施形態では、内容物収納部と計量具収納部とを一体成形して容器本体を製造しているが、本発明はこれに限定されず、例えば、内容物収納部と計量具収納部とを個別に成形した後、計量具収納部を内容物収納部に接合して容器本体を製造してもよい。ただし、容易かつ安価に製造する観点から、内容物収納部と計量具収納部とを一体成形して容器本体を製造することが好ましい。
【符号の説明】
【００３５】
１、２５０、３００、３５０  粉粒物用容器
２、１００、１５０、２００、３０２  容器本体
４、１４０  蓋体
６      開口部
７      底部
１０、２１０  計量具収納部
１２、２１２  第二の底壁部
１４、１４ａ、１４ｂ  第二の側壁部
２０    内容物収納部
２２    第一の底壁部
２４、２４ａ、２４ｂ  第一の側壁部
３０    連結部
４６、１４６    閉止部
１１０、１６０  嵌合防止部
２２０  排出口
２２２  底部蓋体
２６０  内容器
３１２  上部収納部
３１４  下部収納部
【図１】
2011240951.tif 000003
【図２】
2011240951.tif 000004
【図３】
2011240951.tif 000005
【図４】
2011240951.tif 000006
【図５】
2011240951.tif 000007
【図６】
2011240951.tif 000008
【図７】
2011240951.tif 000009
【図８】
2011240951.tif 000010
【図９】
2011240951.tif 000011
【図１０】
2011240951.tif 000012
【図１１】
2011240951.tif 000013
【図１２】
2011240951.tif 000014
【図１３】
2011240951.tif 000015
【図１４】
2011240951.tif 000016